(57)【要約】  【課題】視角を変えることによって複数の画像を観察することの可能な、レンチキュラーレンズを使用した複合写真の受注システムを提供すること。  【解決手段】発注者１は、インターネットを利用して、カメラ付きの携帯端末機器４やパソコン端末機器５を用いて発注することができる。受注者２は、携帯端末用ウェブサイト７とパソコン端末用ウェブサイト８を用意していて、受注した場合には、メインコンピュータ１１が、その受注情報を処理して、顧客情報を入力した占有フォルダと、受注製品ごとの製品仕様などを入力した発注フォルダを作成し、データベースサーバー１２に保管する。加工区では、データベースサーバー１２にアクセスして発注フォルダの情報をパソコン１３に取り込んでから、画像データ処理を行なうなどして複合写真を製作し、発注者１の指定送り先１，３へ発送すると共に、その発送情報をデータベースサーバー１２に入力する。【選択図】  図１
2005065108.tif 000002
【特許請求の範囲】
【請求項１】
各々の画像を細長い複数の分割画像とし所望の画像順序でそれらの分割画像を繰り返して配列して製作した複合画像の前面にレンチキュラーレンズを配置した複合写真の受注システムであって、
顧客の端末機器と交信して、複合化する画像情報と顧客情報とを受信すると共に、少なくとも、分割画像の配列順序や、製作する複合写真の形状，大きさ，個数や、複合写真の送付先や、料金支払い条件などの発注仕様を顧客に指定させるウェブサイトと、
受注したとき、顧客ごとの占有フォルダを作成して顧客情報の入力処理を行なうと共に、製作する複合写真ごとの発注フォルダを作成して複合化する画像情報と発注仕様の入力処理を行なうメインコンピュータと、
占有フォルダと発注フォルダとを管理するデータベースサーバーと、
を備えていることを特徴とする複合写真用受注システム。
【請求項２】
前記ウェブサイトが、カメラ付き小型端末機器からアクセスするのに適した携帯端末用ウェブサイトと、パソコンからアクセスするのに適したパソコン端末用ウェブサイトとで別になっていることを特徴とする請求項１に記載の複合写真用受注システム。
【発明の詳細な説明】
【技術分野】
【０００１】
本発明は、シート状に製作されているにもかかわらず、視角を変えることによって複数の画像を見ることの可能な複合写真の受注システムに関する。
【背景技術】
【０００２】
従来より、視角を変えると複数の画像を観察することの可能なシート状の製品（以下、複合写真という）が知られており、卓上写真やペンダントなど主に小物商品に採用されてきた。この複合写真は、二つの画像Ａ，Ｂを複合化したものの場合で説明すると、夫々の画像を細長く分割して複数の分割画像Ａ１，Ａ２，Ａ３・・・、Ｂ１，Ｂ２，Ｂ３・・・とし、それらの分割画像を交互にＡ１，Ｂ１，Ａ２，Ｂ２，Ａ３，Ｂ３・・・と組み合せた画像（以下、複合画像という）にしてプリントしておき、その前面に、透明な両面接着テープなどを介してレンチキュラーレンズ（蒲鉾形の微小なレンズ群を型押し成形した特殊フィルム）を重ね合わせた構成をしている。また、その場合、一つの蒲鉾形レンズの平面は、二つ一組の分割画像（例えば、Ａ１，Ｂ１の両方）に対向させるようにしている。
【０００３】
そして、このような構成をした複合写真は、各々の蒲鉾形レンズの長手方向と、各分割画像の長手方向とが一致していることから、それらの長手方向と直交する方向へ視角を変えていくと、画像Ａが見えたり画像Ｂが見えたりするようになる。また、ステレオカメラなどで同時に撮影した二つの画像を複合写真とした場合は、分割画像の長手方向を上下方向にして観察すると、立体画像として見ることも可能になる。尚、この説明からも分かるように、三つの画像Ａ，Ｂ，Ｃの複合写真の構成は、Ａ１，Ｂ１，Ｃ１，Ａ２，Ｂ２，Ｃ２，Ａ３，Ｂ３，Ｃ３・・・と組み合せた複合画像をプリントし、三つ一組（例えば、Ａ１，Ｂ１，Ｃ１）の分割画像が一つの蒲鉾形レンズの平面と対向しているようになっている。また、四つ以上の画像の複合写真は、これに準じた構成をしている。
【０００４】
このような複合写真を製作するためには、上記のように、先ず、複合画像とレンチキュラーレンズの製作が必要になるが、従来は、それらの生産準備のコストが高かったため、同じ複合写真を大量に生産しないと、一般の需要者に供せる価格にはならなかった。そのため、複合写真の注文者は、企業の場合が殆どであり、個人からの注文は実際には皆無といってもよかった。しかも、受注に際しては、注文する企業と何回も面談し、画像の組合せ順序や、大きさ，形状，色調などの仕様を決定し、その後に試作を重ねてから最終確認をし、受注契約にこぎつけるため、受注契約が成立するまでには多くの時間と費用とが必要であった。
【０００５】
ところが、最近では、デジタル印刷技術と成形加工技術の急速な進歩によって、複合画面の製作やレンチキュラーレンズの製作が極めて容易になってきており、複合写真を１個だけ注文された場合でも、複雑な仕様を要求されなければ比較的安い価格と短納期で応じることが可能になってきた。特に、デジタル印刷技術の急速な進歩によって、微細な複合画像を製作することも容易になり、レンチキュラーレンズの解像力を考慮したとしても、少なくとも十数の画像を一つの複合写真に収めることができるようになってきた。そのため、複合写真の方を回動させることによって視角を所定の速度で変化させると、動画を見ているかのようにして観察することも可能になり、その活用方法もいろいろと考えられるようになっている。
【特許文献１】特開平９−２３６８７５号公報
【特許文献２】特開平１１−１４９１２６号公報
【発明の開示】
【発明が解決しようとする課題】
【０００６】
ところで、最近では、デジタルカメラやカメラ付き携帯電話の性能が向上し、鮮明なデジタル画像が撮影できるようになってきた。そして、それらのカメラの中には、連写によって動画的な小刻みな撮影ができるものも増えている。また、他方では、インターネットの発達によって、個人が、デジタルカメラ，パソコン，カメラ付き携帯電話などから、デジタル画像を簡単に他の端末機器に送信できるようにもなってきた。このようなことから、個人であっても、インターネットを利用して、複合写真を簡単に注文できるシステムの構築が要求されているが、現在のところその実現をみていない。
【０００７】
本発明は、このような問題点を解決するためになされたものであり、その目的とするところは、インターネットを利用して、個人からでも所望の組み合わせの複合写真を手軽に発注し易くした受注システムを提供することである。
【課題を解決するための手段】
【０００８】
上記の目的を達成するために、本発明は、各々の画像を細長い複数の分割画像とし所望の画像順序でそれらの分割画像を繰り返して配列して製作した複合画像の前面にレンチキュラーレンズを配置した複合写真の受注システムであって、顧客の端末機器と交信して、複合化する画像情報と顧客情報とを受信すると共に、少なくとも、分割画像の配列順序や、製作する複合写真の形状，大きさ，個数や、複合写真の送付先や、料金支払い条件などの発注仕様を顧客に指定させるウェブサイトと、受注したとき、顧客ごとの占有フォルダを作成して顧客情報の入力処理を行なうと共に、製作する複合写真ごとの発注フォルダを作成して複合化する画像情報と発注仕様の入力処理を行なうメインコンピュータと、占有フォルダと発注フォルダとを管理するデータベースサーバーと、を備えるようにする。
【０００９】
その場合、前記ウェブサイトが、カメラ付き小型端末機器からアクセスするのに適した携帯端末用ウェブサイトと、パソコンからアクセスするのに適したパソコン端末用ウェブサイトとで別になっていると、ディスプレイ面積の小さなカメラ付き携帯端末機器を所持している顧客にとっても発注し易いものとなる。
【発明の効果】
【００１０】
本発明の受注システムによれば、インターネットを利用して、個人からでも所望の組み合わせの複合写真を手軽に発注してもらえるという特徴がある。
【発明を実施するための最良の形態】
【００１１】
本発明を実施するための最良の形態を、図示した実施例によって説明する。
【００１２】
図１のブロック図においては、発注者１と、受注者２と、発注者以外の指定送付先３とを一点鎖線で示している。先ず、発注者１は受注者２に対して、インターネットを利用して発注するが、本実施例の場合には、ディスプレイ面積の小さな携帯端末機器４を用いて発注することも、ディスプレイ面積の大きなパソコン端末機器５を用いて発注することも可能にするために、受注者２の方には、ウェブサイト６として、携帯端末用ウェブサイト７とパソコン端末用ウェブサイト８とが別々に用意されていて、携帯端末機器４の小さなディスプレイであっても、表示が小さくて見にくくなるというようなことがないように配慮してある。しかしながら、本発明は、この例に限定されず、一つのウェブサイトで対応するようにしても差し支えない。
【００１３】
そこで先ず、発注者１側の発注形態を説明する。カメラ付き携帯電話（腕時計形式のものなどを含む）や比較的小さなカメラ付きＰＤＡなどの小型の携帯端末機器４に保存した画像を、そのまま直接発注したい場合は、携帯端末用ウェブサイト７にアクセスして、後述するような交信を画面の指示にしたがって行なう。また、最近のカメラ付き携帯電話は連写も可能であるため、画像を動画的に目視できる複合写真を発注することもある。そして、この場合の発注者（顧客）１は個人であることが多い。また、小型の携帯端末機器４で撮影した画像であっても、その画像情報をパソコン端末機器５に取り込むことによって、パソコン端末用ウェブサイト８にアクセスして発注することも可能である。
【００１４】
他方、デジタルカメラ９で撮影した画像は、将来は別として、現在のところでは、その画像情報をパソコン端末機器５に取り込むことによって、パソコン端末用ウェブサイト８にアクセスして発注することになる。その場合、デジタルカメラ９が、スチルカメラの場合とビデオカメラの場合とがあるが、前者の場合には連写の可能なものがあるし、後者の場合にはコマ撮りの可能なものもあるので、発注される複合写真は、動画的に目視できるようにすることも、複数の独立した画像を個々に目視できるようにすることもある。
【００１５】
更に、既にプリントされている写真，絵，文字，記号などを採用したい場合には、スキャナ１０によって読み取った画像情報をパソコン端末機器５に取り込むことによって、パソコン端末用ウェブサイト８にアクセスして発注することになる。そして、このパソコン端末機器５を介して行なう発注者（顧客）１は個人であることもあるし、店頭業者の場合もある。尚、本実施例のパソコン端末機器５には、デスクトップパソコン，ノートパソコンのほか、ディスプレイ面積の比較的大きいＰＤＡも含まれる。
【００１６】
次に、上記のような携帯端末機器４やパソコン端末機器５から、ウェブサイト６（７又は８）を介して複合写真を発注・受注する方法を説明する。先ず、ウェブサイト６の指示にしたがって、顧客の住所，氏名，メールアドレス、料金支払い条件（電子決済＋料金収納サービス代行、クレジットカード決済指定、プリペードカード等）などの顧客情報や、複合化する複数の画像情報を送信する。そのとき、送信する画像情報が連写した一連の画像情報である場合は、ウェブサイト６の指示にしたがって、幾つの画像で複合化するかを指定することになる。複合化する画像の数が多いほど画像の動きが滑らかになることは言うまでもない。
【００１７】
また、連写をした画像ではなく通常の画像情報を送信する場合であって、二つ以上の画像を複合化する場合には、ウェブサイト６の指示にしたがって、それらの配列順を指定することになる。その場合、送信した複数の画像情報だけで複合写真を製作するようにしてもよいが、予め受注者２の方で用意してある画像（例えば、キャラクタ画像）をウェブサイト６で選択し、それと組合わせて発注することも可能である。そのため、そのようにしたい場合には、発注者１は、一つの画像情報しか送信しないこともある。
【００１８】
このようにして、発注者１は、連続画像を複合化するのか、複数の単独画像を複合化するのかを指定し、かつ連続画像を複合化する場合には、それらのうちの幾つの画像を複合化するのかを指定するほか、ウェブサイト６の指示にしたがって、製作する複合写真の形状，大きさ，個数などの製品仕様も指定する。その場合、受注者２側では、幾つかのオプションを用意してあり、発注者１は、例えば、複合写真の裏面に接着テープを取り付けたり、複合写真をポストカード，名刺，額入り，バッチ，ネームプレートに仕上げたり、キーホルダ，携帯ストラップに取り付け得るように仕上げたりすることも、選択的に指定し得るようになっている。また、完成品を送付する際の包装仕様も選択し指定し得るようになっている。
【００１９】
そして、発注する製品仕様や包装仕様が決まると、発注者１は、完成した製品を、本人に一括送付するのか、そうでない場合は、どこの住所の誰に送付するのかを指示する。その結果、それらの情報に基づいて、ウェブサイト６には、受注製品仕様，発送方法，受注料金，支払方法の明細が表示されるので、発注者１は、表示された明細を見て、最終的に発注するのか、しないのかを判断し、その判断結果に基づいて意思表示（ＯＫ，キャンセル）をする。そして、発注するという意思表示がなされた時点で契約が成立する。
【００２０】
次に、契約成立後における受注者２の対応方法を説明する。メインコンピュータ１１は、ウェブサイト６を介して得た情報を処理し、発注者１が初めての顧客の場合は、その顧客の占有フォルダを作成（顧客ＩＤ記号を自動的に付与）して、上記の顧客情報の入力処理を行ない、２度目以降の場合には、既に作成されているフォルダ内の照合・修正処理を行なうことによって、受注履歴の確認や決済管理が確実に行なえるようにする。また、他方では、受注した製品ごとの発注フォルダを作成（上記の顧客ＩＤ記号と照合可能な固有の発注ＩＤ記号を自動的に付与）して、画像情報や上記の製品仕様，包装仕様，送付先などの個別情報を入力するほか、連続画像を受注した場合には、製作する複合写真の画像数に応じて所定の対象画像を抽出する。そして、それらのフォルダは、データベースサーバー１２に保管される。
【００２１】
加工区（加工工場）では、データベースサーバー１２に適宜アクセスして、個々の発注フォルダの情報をパソコン１３に取り込み、画像データ処理を行なって上記したような複合画像を作成し、そのプリントの前面に、透明な両面接着テープを介してレンチキュラーレンズを貼付して、顧客が所望した通りの複合写真を製作する。その際、上記のようにオプションの希望があれば、それに沿うように製作することになる。そして、製作後は、検品し、包装し、梱包して、発注者１か、発注者１以外の指定送り先３へ発送すると共に、その発送情報をデータベースサーバー１２に入力する。
【図面の簡単な説明】
【００２２】
【図１】実施例を説明するためのブロック図である。
【符号の説明】
【００２３】
１        発注者
２        受注者
３        指定送付先
４        携帯端末機器
５        パソコン端末機器
６        ウェブサイト
７        携帯端末用ウェブサイト
８        パソコン端末用ウェブサイト
９        デジタルカメラ
１０      スキャナ
１１      メインコンピュータ
１２      データベースサーバー
１３      加工区のパソコン
【図１】
2005065108.tif 000003